(57)【要約】【課題】    別途の外部電気的接続手段を必要とせず、電子機器の作動回路及び電子機器の作動電源と電気的に連結される接続ターミナルを印刷回路基板に直接構成し、電子機器の過負荷による温度の上昇時に、印刷回路基板に構成された電流供給回路を遮断する印刷回路基板一体型過負荷保護装置を提供する。【解決手段】  この過負荷保護装置は、印刷回路基板と、印刷回路基板に互いに間隔を置いて貫通固定された第１及び第２の接続ターミナルと、第１及び第２の接続ターミナルとの間に接触され、互いを連結させる接触点と固定点を有するバイメタル可動アームと、上記可動アームの固定点が固定され、可動アームと可動アームの接触点に接触された接続ターミナルを覆うハウジングと、ハウジング縁部と印刷回路基板の間に取付けられた密封接着層とを含むことを特徴とする。【選択図】  図２
2005277388.tif 000002
【特許請求の範囲】
【請求項１】
印刷回路基板と、印刷回路基板に互いに間隔を置いて貫通固定された第１及び第２の接続ターミナルと、第１及び第２の接続ターミナル間に接触され、互いを連結させる接触点と固定点を有するバイメタル可動アームと、前記可動アームの固定点が固定され、可動アームと可動アームの接触点に接触された接続ターミナルを覆うハウジングと、ハウジング縁部と印刷回路基板との間に取付けられた密封接着層とを含むことを特徴とする印刷回路基板一体型過負荷保護装置。
【請求項２】
前記第１及び第２の接続ターミナルの各々は、上部に過負荷保護装置のハウジングが取付けられた印刷回路基板の下部面に位置する第１平面部、印刷回路基板を貫通する垂直部、印刷回路基板の上部面に位置する第２平面部からなる階段状部材であって、第１及び第２の接続ターミナルの第２平面部は互いに離隔されるように直列配置されており、前記可動アームの接触点は、正常時に前記直列配置された第２平面部間に配置され、第２平面部を相互電気的に連結することを特徴とする請求項１に記載の印刷回路基板一体型過負荷保護装置。
【請求項３】
前記第１及び第２の接続ターミナルの各々は、上部に過負荷保護装置のハウジングが取付けられた印刷回路基板の下部面に位置する第１平面部、印刷回路基板を貫通する垂直部、印刷回路基板の上部面に位置する第２平面部からなる階段状部材であって、第１及び第２の接続ターミナルの第２平面部は、長手方向に並列に配置されており、前記可動アームの接触点は、正常時に前記並列に配置された第２平面部間に配置され、第２平面部を相互電気的に連結することを特徴とする請求項１に記載の印刷回路基板一体型過負荷保護装置。
【発明の詳細な説明】
【技術分野】
【０００１】
本発明は過負荷保護装置に関し、より詳しくは、携帯電話のような電子機器の電子回路に過負荷が印加され、電子回路が破損されるおそれがある場合、電子機器の作動電流を遮断するための保護回路の構成において電子機器に印加される電流の通路である接続ターミナルとバッテリのような作動電源との接続をワイヤケーブルを通じて具現せず、印刷回路基板の回路を通じて具現する接続方式を採用することにより単なる電気的接続方式で電子機器の保護回路を構成できる印刷回路基板一体型過負荷保護装置に係るものである。
【背景技術】
【０００２】
従来、過負荷保護装置は、外部接続ターミナルを有するハウジングと、このハウジング内にバイメタル接続部を有し、外部接続ターミナルはバイメタル接続部とワイヤケーブルを通じて電子機器の作動電源に連結され、バイメタル接続部に過電流が印加されると、バイメタルの動作で作動電源の供給回路を遮断するか、又はバイメタル接続部を電流供給回路から排除した場合には、バイメタル接続部が単に電流の供給を媒介とし、回路周辺の温度によりバイメタルが動作され、自体的に携帯電話の作動電源供給回路を遮断する方式のものである。
【０００３】
このような過負荷保護装置は、電子機器の作動回路及び電子機器の作動電源との電気的連結のために、その接続ターミナルを所定の収納構造で構成し、この収納構造内に外部のスペードターミナル、ピンコネクタ又はその他の接続手段を接続することにより電気的接続を行うようにしている。
【０００４】
このような過負荷保護装置は、簡単な電気的接続構造とこのような接続構造のユニット化のために、製品の動作及び制御のための回路を構成する印刷回路基板に直接装着された構造のものが求められる。
【発明の開示】
【発明が解決しようとする課題】
【０００５】
本発明は、前述した従来技術の問題点を解消するために案出されたもので、別途の外部電気的接続手段を必要とせず、電子機器の作動回路及び電子機器の作動電源と電気的に連結される接続ターミナルを印刷回路基板に直接構成し、電子機器の過負荷による温度の上昇時に、印刷回路基板に構成された電流供給回路を遮断する印刷回路基板一体型過負荷保護装置を提供するものである。
【課題を解決するための手段】
【０００６】
前述した目的を達成するために、本発明は印刷回路基板と、印刷回路基板に互いに間隔を置いて貫通固定された第１及び第２の接続ターミナルと、第１及び第２の接続ターミナルとの間に接触され、互いを連結させる接触点と固定点を有するバイメタル可動アームと、前記可動アームの固定点が固定され、可動アームと可動アームの接触点に接触された接続ターミナルを覆うハウジングと、ハウジング縁部と印刷回路基板との間に取付けられた密封接着層とを含むことを特徴とする印刷回路基板一体型過負荷保護装置を提供する。
【０００７】
本発明の１実施例によれば、前記第１及び第２の接続ターミナルの各々は、上部に過負荷保護装置のハウジングが取付けられた印刷回路基板の下部面に位置する第１平面部、印刷回路基板を貫通する垂直部、印刷回路基板の上部面に位置する第２平面部からなる階段状部材であって、第１及び第２の接続ターミナルの第２平面部は互いに離隔するように直列配置されており、前記可動アームの接触点は、正常時に前記直列配置された第２平面部との間に配置され、第２平面部を相互電気的に連結することを特徴とする。
【０００８】
本発明の１実施例によれば、前記第１及び第２の接続ターミナルの各々は、上部に過負荷保護装置のハウジングが取付けられた印刷回路基板の下部面に位置する第１平面部、印刷回路基板を貫通する垂直部、印刷回路基板の上部面に位置する第２平面部からなる階段状部材であって、第１及び第２の接続ターミナルの第２平面部は長手方向に並列配置されており、前記可動アームの接触点は、正常時に前記並列配置された第２平面部間に配置され、第２平面部を相互電気的に連結することを特徴とする。
【発明の効果】
【０００９】
前述した構成によれば、本発明は別途の外部電気的接続手段を必要とせず、電子機器作動回路及び電子機器作動電源と電気的に連結される接続ターミナルを印刷回路基板に直接構成し、電子機器の過負荷による温度の上昇時に印刷回路基板に構成された電流供給回路を遮断する印刷回路基板一体型過負荷保護装置を提供する。
【発明を実施するための最良の形態】
【００１０】
以下、添付の図面を参照して、本発明の好ましい実施例を詳しく説明する。
【００１１】
図１ａは本発明の印刷回路基板一体型過負荷保護装置の斜視図であり、図１ｂは図１ａの印刷回路基板一体型過負荷保護装置の底面斜視図である。
【００１２】
これら図面を参照すると、本発明の印刷回路基板一体型過負荷保護装置は、印刷回路基板１０と前記印刷回路基板上に取付けられた過負荷保護装置を含む。
【００１３】
印刷回路基板１０には基板を貫通して取付けられた第１及び第２の接続ターミナル２０ａ；２０ｂを備え、過負荷保護装置は一面が開放された大略直六面体状のハウジング４０と、電子機器の過負荷時に発生する熱を感知し、この熱に反応するバイメタル可動アーム（図２〜図４を参照）とを含む。
【００１４】
バイメタル可動アームを含む過負荷保護装置用ハウジング４０は、その縁部にエポキシ樹脂コーティングのような密封接着部３０を塗布することにより印刷回路基板１０に気密に取付けられる。
【００１５】
過負荷保護装置を構成するバイメタル可動アームと接続ターミナルの細部構成は、図２及び図３に詳しく示されている。
【００１６】
図２は、図１ａの印刷回路基板一体型過負荷保護装置においてａ−ａ線に沿い切取った断面図であり、図３は図１ｂの印刷回路基板一体型過負荷保護装置においてｂ−ｂ線に沿い切取った断面斜視図である。
【００１７】
これら図面を参照すると、電子機器作動回路及び電子機器作動電源と電気的に連結される接続ターミナル２０は、印刷回路基板１０の上下部を貫通する階段状の第１及び第２の接続ターミナル２０ａ；２０ｂから構成される。
【００１８】
これら第１及び第２の接続ターミナル２０ａ；２０ｂの各々は、印刷回路基板１０の下部（図２参照）に形成された第１平面部、印刷回路基板を垂直に貫通する垂直部及び印刷回路基板１０の上部（図２参照）に形成された第２平面部からなる折曲状部材であり、これら第１及び第２の接続ターミナル２０ａ；２０ｂは、印刷回路基板１０で長手方向に直列に配置されており、互いに所定の間隔を置いて離隔されている。
【００１９】
第１及び第２の接続ターミナルは、各々電子機器作動回路及び電子機器作動電源と電気的に連結され、電子機器作動回路の一部を形成する。
【００２０】
従って、第１及び第２の接続ターミナル間の離隔は、電子機器作動回路の遮断を意味するものであり、正常時には、後述する可動アームの接触点が第１及び第２の接続ターミナル間に配置されるようにすることにより第１及び第２の接続ターミナルを相互電気的に連結させて、電子機器作動回路を閉回路化することにより電子機器が正常的に作動されるようにしている。
【００２１】
前記第１及び第２の接続ターミナル２０ａ；２０ｂの間を互いに電気的に連結させる可動アーム５０はバイメタルからなり、その一端部は過負荷保護装置のハウジング４０の上部（図２基準）に固定される固定点５０ａであり、他端部はバイメタルにより周辺温度に反応して作動する接触点５０ｂである。
【００２２】
電子機器の正常作動時にバイメタル可動アーム５０は、その接触点５０ｂが第１及び第２の接続ターミナル間に接触され、両側ターミナルを電気的に連結しており、電子機器の過負荷により周辺温度が上昇すると、バイメタル可動アーム５０の作動により前記第１及び第２の接続ターミナル間に接触された状態の接触点５０ｂが接続ターミナルから離れることにより電子機器作動回路を開放させるようになり、従って、電子機器に供給される電流が遮断される。
【００２３】
電子機器に供給される電流が遮断され、所定の時間が経過して周辺の温度が所定の温度以下に低下すると、バイメタル可動アームの作動で再度接触点５０ｂが第１及び第２の接続ターミナル間に接触しながら、電子機器作動回路を閉鎖させて、電子機器への電流供給を再開するようになる。
【００２４】
一方、本発明の１実施例によれば、前記第１及び第２の接続ターミナルはバイメタル可動アームの接触点との接触抵抗をより減少させるために、図４に示されたように変形することができる。
【００２５】
図４に示された第１及び第２の接続ターミナル２０ａ；２０ｂは、印刷回路基板１０を垂直に貫通する垂直部と印刷回路基板１０の下部（図４基準）に設けられた第２平面部が第１平面部の幅の半分のみ折曲延びられた形態であり、特に可動アーム５０の接触点５０ｂと接触する第２平面部２０ａ’；２０ｂ’は互いに離隔された状態で長手方向に並列に配置されたことが特徴である。
【００２６】
従って、電子機器の正常作動時に可動アームの接触点５０ｂは離隔された状態で直列に配置された前述した実施例とは異なり、離隔された状態で互いに並列に配置された接続ターミナルの第２平面部２０ａ’；２０ｂ’と接触状態を維持して、電子機器作動回路を閉鎖させる。
【００２７】
このとき、接続ターミナルの第２平面部２０ａ’；２０ｂ’と可動アーム５０の接触点５０ｂは接触面積が増加して、その接触抵抗が減少する。
【図面の簡単な説明】
【００２８】
【図１ａ】本発明の印刷回路基板一体型過負荷保護装置の斜視図である。
【図１ｂ】図１ａの印刷回路基板一体型過負荷保護装置の底面斜視図である。
【図２】図１ａの印刷回路基板一体型過負荷保護装置でａ−ａ線に沿い切取った断面図である。
【図３】図１ｂの印刷回路基板一体型過負荷保護装置でｂ−ｂ線に沿い切取った断面斜視図である。
【図４】他の実施例の接続ターミナルを有する図３の印刷回路基板一体型過負荷保護装置を示す断面斜視図である。
【符号の説明】
【００２９】
(10)  印刷回路基板
(20)(20ａ)(20ｂ)  接続ターミナル
(30)  密封接着層
(40)  過負荷保護装置のハウジング
（50）  可動アーム
（50ａ)  固定点
（50ｂ)  接触点
【図１ａ】
2005277388.tif 000003
【図１ｂ】
2005277388.tif 000004
【図２】
2005277388.tif 000005
【図３】
2005277388.tif 000006
【図４】
2005277388.tif 000007